(57)【要約】【課題】  駆動コマの移動力を突っ張り体の突っ張り力に効率的に変換させる。【解決手段】  第１部材３と第２部材４の一方の部材に押圧する押圧部５Ａを有しかつこの押圧部５Ａと反対側に開口部５Ｂを有するケース５と、他方の部材に当接する当接部６Ａを有しかつこの当接部６Ａと反対側にケース５の開口部５Ｂに挿入されていて末広がり状の一対の受け斜面Ｕが形成された山形部６Ｂを有する突っ張り体６と、この突っ張り体６の各受け斜面Ｕと面接する押し斜面Ｌを有する対称形状の一対の駆動コマ７と、この一対の駆動コマ７に貫通されていて一対の駆動コマ７を遠近移動するネジ部材８とを備える。前記突っ張り体６の山形部６Ｂの各受け斜面Ｕはネジ部材８の軸芯Ｓを挟んで一対が分離形成されており、前記各駆動コマ７はネジ部材８が貫通する貫通孔９の両側に押し斜面Ｌが一対分離形成する。【選択図】図１
2020005920.tif 000002
【特許請求の範囲】
【請求項１】
第１部材（３）と第２部材（４）との間に配置されて両部材に突っ張り力を与える突っ張り調整具（１）であって、
第１部材（３）と第２部材（４）の一方の部材に押圧する押圧部（５Ａ）を有しかつこの押圧部（５Ａ）と反対側に開口部（５Ｂ）を有するケース（５）と、第１部材（３）と第２部材（４）の他方の部材に当接する当接部（６Ａ）を有しかつこの当接部（６Ａ）と反対側にケース（５）の開口部（５Ｂ）に挿入されていて末広がり状の一対の受け斜面（Ｕ）が形成された山形部（６Ｂ）を有する突っ張り体（６）と、この突っ張り体（６）の各受け斜面（Ｕ）と面接する押し斜面（Ｌ）を有する対称形状の一対の駆動コマ（７）と、この一対の駆動コマ（７）に貫通されていて一対の駆動コマ（７）を遠近移動するネジ部材（８）とを備えており、
前記突っ張り体（６）の山形部（６Ｂ）の各受け斜面（Ｕ）はネジ部材（８）の軸芯（Ｓ）を挟んで一対が分離形成されており、前記各駆動コマ（７）はネジ部材（８）が貫通する貫通孔（９）の両側に押し斜面（Ｌ）が一対分離形成されていることを特徴とする突っ張り調整具。
【請求項２】
前記突っ張り体（６）は、当接部（６Ａ）を形成する平板部分の上面にネジ部材（８）が挿通される谷空間（Ｔ）を挟んで両側に一対の山形部（６Ｂ）が形成されており、
前記各駆動コマ（７）は、ネジ部材（８）が貫通する貫通孔（９）を形成した中央部（７Ａ）の両側に一対の押し斜面（Ｌ）が形成されており、
前記ネジ部材（８）の軸芯（Ｓ）は、山形部（６Ｂ）の末広がり状の受け斜面（Ｕ）及び一対の駆動コマ（７）の各押し斜面（Ｌ）と正面視において交差配置されていることを特徴とする請求項１に記載の突っ張り調整具。
【請求項３】
前記ケース（５）の壁内面に、押圧部（５Ａ）及びネジ部材（８）の軸芯（Ｓ）と平行なレール部（１３）が突条形成されており、前記各駆動コマ（７）にはレール部（１３）と摺動自在に係合する係合溝（１４）が形成されており、
前記ケース（５）のレール部（１３）は長手方向中央に駆動コマ（７）が挿入可能な間隙（Ｗ）が開けられていることを特徴とする請求項１又は２に記載の突っ張り調整具。
【請求項４】
前記一方の駆動コマ（７）には貫通孔（９）内にネジ部材（８）の頭部を受ける受け部（１５）が形成され、前記他方の駆動コマ（７）には貫通孔（９）内にネジ部材（８）が螺合するナット（１６）が配置されており、
前記ケース（５）の壁には、前記一方の駆動コマ（７）の貫通孔（９）の延長位置に、ネジ部材（８）を回動する工具を外方から挿入する挿入孔（１７）が形成されていることを特徴とする請求項１〜３のいずれか１項に記載の突っ張り調整具。
【請求項５】
前記ケース（５）の押圧部（５Ａ）には第１部材（３）に当接する滑り止めシート（１８）が設けられ、前記突っ張り体（６）の当接部（６Ａ）には第２部材（４）の端部に接合する接合シート（１９）が設けられ、
前記ケース（５）の開口部（５Ｂ）は第２部材（４）の端部に略適合嵌合する大きさに形成されていることを特徴とする請求項１〜４のいずれか１項に記載の突っ張り調整具。
【発明の詳細な説明】
【技術分野】
【０００１】
本発明は、上部材と下部材との間に配置されて両者に突っ張り力を与えて固定する突っ張り調整具に関する。
【背景技術】
【０００２】
例えば、仮設の柱部材の上端や家具の上部等を天井部材に固定するために、両者の間に突っ張り調整具を配置して、突っ張り力で両者を固定するようにしている。
この突っ張り調整具として、特許文献１に開示されているような家具類固定具がある。この家具類固定具は、建物とその内部に設置された家具類との間の空間に配置されるケースと、そのケース内に移動可能に配置された可動コマと、そのケース内の可動コマの上に配置されてケースの開口部から突出するスライダーと、ケースの外から前記可動コマを移動操作可能な操作具を備え、前記スライダーは前記操作具の操作によって前記可動コマをケース内で移動させるとその可動コマにより押されてケースの開口部から外側へスライドして先端部が建物に突き当たって家具類を建物に固定できるように構成されている（請求項１）。そして、建物とその内部に設置された家具類との間の空間に家具類固定具が一又は二以上配置され、家具類固定具のケースの開口部から外側に突出するスライダーの先端部が建物に突き当てられて家具類が建物に固定される（請求項２）。
【先行技術文献】
【特許文献】
【０００３】
【特許文献１】特開２００７−２２２４８７号公報
【発明の概要】
【発明が解決しようとする課題】
【０００４】
前記従来技術は、ネジ棒（操作具）の回転により一対の可動コマを遠近移動させて、可動コマの斜面でスライダーの斜面を押動して、スライダーをケース外へ突出させるように構成されているので、スライダーによる突っ張りを行うことができるが、スライダーの斜面とネジ棒とは上下にずれており、ネジ棒による可動コマの移動力をスライダーの突っ張り力に変換するのが効率的ではない。
【０００５】
本発明は、このような従来技術の問題点を解決できるようにした突っ張り調整具を提供することを目的とする。
本発明は、駆動コマの移動力を突っ張り体の突っ張り力に効率的に変換できるようにした突っ張り調整具を提供することを目的とする。
【課題を解決するための手段】
【０００６】
本発明における課題解決のための具体的手段は、次の通りである。
第１に、第１部材３と第２部材４との間に配置されて両部材に突っ張り力を与える突っ張り調整具１であって、
第１部材３と第２部材４の一方の部材に押圧する押圧部５Ａを有しかつこの押圧部５Ａと反対側に開口部５Ｂを有するケース５と、第１部材３と第２部材４の他方の部材に当接する当接部６Ａを有しかつこの当接部６Ａと反対側にケース５の開口部５Ｂに挿入されていて末広がり状の一対の受け斜面Ｕが形成された山形部６Ｂを有する突っ張り体６と、この突っ張り体６の各受け斜面Ｕと面接する押し斜面Ｌを有する対称形状の一対の駆動コマ７と、この一対の駆動コマ７に貫通されていて一対の駆動コマ７を遠近移動するネジ部材８とを備えており、
前記突っ張り体６の山形部６Ｂの各受け斜面Ｕはネジ部材８の軸芯Ｓを挟んで一対が分離形成されており、前記各駆動コマ７はネジ部材８が貫通する貫通孔９の両側に押し斜面Ｌが一対分離形成されていることを特徴とする。
【０００７】
第２に、前記突っ張り体６は、当接部６Ａを形成する平板部分の上面にネジ部材８が挿通される谷空間Ｔを挟んで両側に一対の山形部６Ｂが形成されており、
前記各駆動コマ７は、ネジ部材８が貫通する貫通孔９を形成した中央部７Ａの両側に一対の押し斜面Ｌが形成されており、
前記ネジ部材８の軸芯Ｓは、山形部６Ｂの末広がり状の受け斜面Ｕ及び一対の駆動コマ７の各押し斜面Ｌと正面視において交差配置されていることを特徴とする。
【０００８】
第３に、前記ケース５の壁内面に、押圧部５Ａ及びネジ部材８の軸芯Ｓと平行なレール部１３が突条形成されており、前記各駆動コマ７にはレール部１３と摺動自在に係合する係合溝１４が形成されており、
前記ケース５のレール部１３は長手方向中央に駆動コマ７が挿入可能な間隙Ｗが開けられていることを特徴とする。
【０００９】
第４に、前記一方の駆動コマ７には貫通孔９内にネジ部材８の頭部を受ける受け部１５が形成され、前記他方の駆動コマ７には貫通孔９内にネジ部材８が螺合するナット１６が配置されており、
前記ケース５の壁には、前記一方の駆動コマ７の貫通孔９の延長位置に、ネジ部材８を回動する工具を外方から挿入する挿入孔１７が形成されていることを特徴とする。
【００１０】
第５に、前記ケース５の押圧部５Ａには第１部材３に当接する滑り止めシート１８が設けられ、前記突っ張り体６の当接部６Ａには第２部材４の端部に接合する接合シート１９が設けられ、
前記ケース５の開口部５Ｂは第２部材４の端部に略適合嵌合する大きさに形成されていることを特徴とする。
【発明の効果】
【００１１】
本発明によれば、駆動コマの移動力を突っ張り体の突っ張り力に効率的に変換することができる。
即ち、請求項１に係る発明は、第１部材３と第２部材４との間に配置されて両部材に突っ張り力を与える突っ張り調整具１は、突っ張り体６の山形部６Ｂの各受け斜面Ｕはネジ部材８の軸芯Ｓを挟んで一対が分離形成されており、駆動コマ７はネジ部材８が貫通する貫通孔９の両側に押し斜面Ｌが一対分離形成されているので、受け斜面Ｕ及び押し斜面Ｌの面接位置はネジ部材８の軸芯Ｓを挟んで両側に位置することになり、軸芯Ｓ上でネジ部材８による駆動コマ７の押し力は突っ張り体６の突っ張り力に変換され、高効率で突っ張り力を発生することができる。
【００１２】
請求項２に係る発明は、突っ張り体６は谷空間Ｔを挟んで両側に一対の山形部６Ｂが形成され、各駆動コマ７は中央部７Ａの両側に一対の押し斜面Ｌが形成され、ネジ部材８の軸芯Ｓは、山形部６Ｂの末広がり状の受け斜面Ｕ及び一対の駆動コマ７の各押し斜面Ｌと正面視において交差配置されているので、ネジ部材８の軸芯Ｓ上で突っ張り体６を押動でき、高効率で突っ張り力を発生することができる。
【００１３】
請求項３に係る発明は、ケース５の壁内面のレール部１３に各駆動コマ７の係合溝１４を嵌合することにより、一対の駆動コマ７の対向移動を案内するとともにケース５からの抜けを防止することができ、ケース５のレール部１３は長手方向中央に駆動コマ７が挿入可能な間隙Ｗが開けられているので、駆動コマ７をケース５内へ挿入してレール部１３へ係合するのが容易にできる。
【００１４】
請求項４に係る発明は、一対の駆動コマ７を遠近移動するためのネジ部材８及びこのネジ部材８を回転する工具を、挿入孔１７を介してケース５の外方から挿入することができる。
請求項５に係る発明は、ケース５の押圧部５Ａに滑り止めシート１８が設けられ、突っ張り体６の当接部６Ａに接合シート１９が設けられ、ケース５の開口部５Ｂが第２部材４の端部に略適合嵌合する大きさに形成されているので、第２部材４への突っ張り調整具１の装着が簡単かつ確実にできる。
【図面の簡単な説明】
【００１５】
【図１】本発明の実施形態を示す断面正面図である。
【図２】同断面側面図である。
【図３】ケース、突っ張り体、駆動コマ及びネジ部材を分解した正面図である。
【図４】ケース、突っ張り体及び駆動コマを分解した側面図である。
【図５】ケース、突っ張り体及び駆動コマを分解した平面図である。
【図６】ケース及び突っ張り体を突っ張り方向に移動した断面正面図である。
【発明を実施するための形態】
【００１６】
以下、本発明の実施の形態を図面に基づいて説明する。
図１〜６において、突っ張り調整具１は第１部材３と第２部材４との間に配置されていて、両部材３、４に突っ張り力を与えて、第１部材３に対して第２部材４の上部を固定する。
第２部材４を家具とした場合、家具の上部を天井部材（第１部材３）に対して固定するのに突っ張り調整具１を利用できるが、この実施形態では、建築構造物の壁の内側に、ツーバイフォー工法で、柱を枠組みして内装壁を作った場合に、その壁の柱（第２部材４）を天井部材（第１部材３）に対して固定するのに突っ張り調整具１を適用している。
【００１７】
なお、図１、２において、第２部材（柱）４は５０ｍｍ２ｘ４材を使用し、第２部材（柱）４の下端に下滑り止め具２０を嵌合し、滑り止めシート２２を介在して床板２１に接地している。
突っ張り調整具１は大別して、第１部材３に押圧するケース５と、第２部材４に当接する突っ張り体６と、この突っ張り体６を押動する一対の駆動コマ７と、この一対の駆動コマ７を遠近移動するネジ部材８とを備えている。
【００１８】
前記ケース５は天壁及び周囲壁を有する四角箱形状であり、天壁が第１部材３に押圧する押圧部５Ａとなっており、この押圧部５Ａと反対側は下方に開放したに開口部５Ｂとなっている。
ケース５の周囲壁を形成する前後壁及び左右壁は内面も外面も末広がり形状であり、周囲壁は押圧部５Ａ側から開口部５Ｂ側へ肉厚が漸次厚く形成され、開口部５Ｂは第２部材４の端部に略適合嵌合する大きさの四角形状に形成されている。
【００１９】
また、図１、６を正面図として、ケース５の前後壁の内面には、押圧部５Ａ及びネジ部材８の軸芯Ｓと平行なレール部１３が突条形成されており、このレール部１３は左右に分離していて、長手方向中央に駆動コマ７が挿入可能な間隙Ｗが開けられている。
ケース５の周囲壁を形成する左右壁の一方（右壁）には、ネジ部材８を回動する工具を外方から挿入する挿入孔１７が形成されている。
【００２０】
ケース５の押圧部５Ａは平面視格子状のリブが形成され、その上面には第１部材３に当接する滑り止めシート１８が設けられている。
前記突っ張り体６は、下面が第２部材４に当接する平板形状の当接部６Ａと、この当接部６Ａの上面から上方突出した一対の山形部６Ｂとを有する。または、平行な２つの山形部６Ｂの裾を当接部６Ａが連結している。山形部６Ｂの内部は空洞で複数本のリブが設けられている。
【００２１】
即ち、突っ張り体６は、当接部６Ａを形成する平板部分の上面にネジ部材８が挿通される谷空間Ｔを挟んで両側に一対の山形部６Ｂが形成されている。
突っ張り体６はケース５内に配置、又は少なくとも山形部６Ｂがケース５の開口部５Ｂに挿入されている。山形部６Ｂは正面視末広がり状の一対の受け斜面Ｕが形成されている。
【００２２】
前記一対の駆動コマ７は外形が対称形状であり、各駆動コマ７はネジ部材８が貫通する貫通孔９を形成した中央部７Ａの両側に一対の押し斜面Ｌが形成されており、前後両外面にレール部１３と摺動自在に係合する係合溝１４と形成されている。駆動コマ７は内部に貫通孔９を形成するための筒状部分を有するがその周囲は空洞になっている。
一対の駆動コマ７の押し斜面Ｌは正面視末広がり状に位置し、水平線に対する傾斜角度が突っ張り体６の各受け斜面Ｕと同一であり、例えば３０度であり、押し斜面Ｌと受け斜面Ｕとは摺動可能に面接触しており、駆動コマ７の水平移動力を突っ張り体６の上下移動力に変換する。
【００２３】
一方（図１、６右側）の駆動コマ７の貫通孔９は、ネジ部材８の頭部が入る大径孔と軸部が挿通する小径孔との段部に、ネジ部材８の頭部を受ける受け部１５が形成されている、この貫通孔９の延長位置に、ネジ部材８を回動する工具を外方から挿入するケース５の挿入孔１７が形成されている。
他方（図１、６左側）の駆動コマ７には貫通孔９内にネジ部材８が螺合するナット１６が配置されている。他方の駆動コマ７の貫通孔９は、ナット１６が入る六角孔とネジ部材８の軸部が挿通する小径孔とで形成されている。
【００２４】
前記一対の駆動コマ７の各貫通孔９は、正面視において、それぞれの押し斜面Ｌと傾斜方向略中央位置で交差しており、従って、貫通孔９に挿入されたネジ部材８の軸芯Ｓは、正面視において、末広がり状に形成された押し斜面Ｌとも受け斜面Ｕとも交差することになる。
換言すると、前記一対の駆動コマ７の各押し斜面Ｌも突っ張り体６の山形部６Ｂの各受け斜面Ｕも、ネジ部材８の軸芯Ｓを挟んで一対が分離形成されており、ネジ部材８による一対の駆動コマ７を近づける方向の移動力は、軸芯Ｓを通る水平面上で押し斜面Ｌから受け斜面Ｕに伝達され、突っ張り体６の突っ張り力に変換されることになる。
【００２５】
各駆動コマ７の中央部７Ａの下部は、前後両側の押し斜面Ｌより下方へ突出しており、この突出部分は突っ張り体６の谷空間Ｔ内に入り込み、一対の山形部６Ｂの前後位置規制をすることが可能になっている。
図３〜５には突っ張り調整具１の分解図を示しており、この突っ張り調整具１の組立て装着方法を次に説明する。
【００２６】
突っ張り調整具１は、駆動コマ７をケース５内に入れて間隙Ｗに挿入し、駆動コマ７の係合溝１４をケース５の壁内面のレール部１３に係合する。ケース５の壁の挿入孔１７からネジ部材８を挿入して、ケース５内の一方の駆動コマ７の貫通孔９に貫通し、このネジ部材８を他方の駆動コマ７に予め装着しておいたナット１６に螺合させる。
第２部材４の上端に接合シート１９を介して突っ張り体６を接合しておいて、その突っ張り体６に嵌合するように駆動コマ７を内在するケース５を嵌合し、突っ張り体６の山形部６Ｂの受け斜面Ｕに一対の駆動コマ７の押し斜面Ｌを面接させる（図１、２に示す状態になる。）。
【００２７】
その後、ケース５の押圧部５Ａを第１部材３に対向させ、挿入孔１７から回動工具を挿入してネジ部材８を回動し、図６に示すように、一対の駆動コマ７を近づく方向に移動して、突っ張り体６をネジ部材８と直交する方向に移動し、相対的にケース５の押圧部５Ａを上昇させて滑り止めシート１８を第１部材３に当接させ、さらにネジ部材８を回動して押圧部５Ａで第１部材３に突っ張らせ、その突っ張り力で第１部材３に対して第２部材４の上端を固定する。
【００２８】
図６は一対の駆動コマ７が近づいた状態を示すが、一対の駆動コマ７は対向する面が当接するまで近づけることができる。一対の駆動コマ７が最大に離れる位置は、一対の駆動コマ７の対向する面と反対側の面がケース５と当接する、または駆動コマ７の下面が突っ張り体６の当接部６Ａと当接する状態に設定できる。
なお、本発明は前記実施形態に限定されるものではなく、部材の形状、構成及び組み合わせ等を変更したりすることもできる。
【００２９】
例えば、突っ張り調整具１は、上下逆にして、ケース５を第２部材４に当接しかつ突っ張り体６を第１部材３に当接したり、水平にして、壁と家具側面との間、家具と家具との間に配置したりして、それらを突っ張り固定するのに適用してもよい。
一対の駆動コマ７を内蔵したケース５に突っ張り体６も相対上下動自在に内在させ、ケース５と突っ張り体６との間に、突っ張り体６がケース５から抜け出るのを規制する抜け規制具を設けることも可能である。
【００３０】
ケース５の上下丈を短くしたり、突っ張り体６の当接部６Ａを下方へ長く形成したりして、突っ張り体６の当接部６Ａがケース５の開口部５Ｂから下方へ突出させておいてもよい。
一対の駆動コマ７はケース５の内面によって移動が案内されるので、ケース５のレール部１３及び駆動コマ７の係合溝１４を割愛することは可能である。
【００３１】
一方の駆動コマ７のナット１６は、駆動コマ７自体に雌ネジを切ってもよい。
【符号の説明】
【００３２】
１        突っ張り調整具
３        第１部材
４        第２部材
５        ケース
５Ａ      押圧部
５Ｂ      開口部
６        突っ張り体
６Ａ      当接部
６Ｂ      山形部
７        駆動コマ
７Ａ      中央部
８        ネジ部材
９        貫通孔
１３      レール部
１４      係合溝
１５      受け部
１６      ナット
１７      挿入孔
１８      滑り止めシート
１９      接合シート
２０      下滑り止め具
２１      床板
２２      滑り止めシート
Ｌ        押し斜面
Ｓ        軸芯
Ｔ        谷空間
Ｕ        受け斜面
Ｗ        間隙
【図１】
2020005920.tif 000003
【図２】
2020005920.tif 000004
【図３】
2020005920.tif 000005
【図４】
2020005920.tif 000006
【図５】
2020005920.tif 000007
【図６】
2020005920.tif 000008
【手続補正書】
【提出日】令和1年7月31日(2019.7.31)
【手続補正１】
【補正対象書類名】特許請求の範囲
【補正対象項目名】全文
【補正方法】変更
【補正の内容】
【特許請求の範囲】
【請求項１】
第１部材（３）と第２部材（４）との間に配置されて両部材に突っ張り力を与える突っ張り調整具（１）であって、
第１部材（３）と第２部材（４）の一方の部材に押圧する押圧部（５Ａ）を有しかつこの押圧部（５Ａ）と反対側に開口部（５Ｂ）を有するケース（５）と、第１部材（３）と第２部材（４）の他方の部材に当接する当接部（６Ａ）を有しかつこの当接部（６Ａ）と反対側にケース（５）の開口部（５Ｂ）に挿入されていて末広がり状の受け斜面（Ｕ）が形成された山形部（６Ｂ）を有する突っ張り体（６）と、この突っ張り体（６）の各受け斜面（Ｕ）と面接する押し斜面（Ｌ）を有して対向する対称形状の一対の駆動コマ（７）と、前記受け斜面（Ｕ）及び押し斜面（Ｌ）と交差する方向で一対の駆動コマ（７）に貫通されていて一対の駆動コマ（７）を遠近移動するネジ部材（８）とを備えており、
前記突っ張り体（６）は、当接部（６Ａ）を形成する平板部分の上側に、ネジ部材（８）が挿通される谷空間（Ｔ）と、この谷空間（Ｔ）を挟んでいて前記一対の駆動コマ（７）の対向方向と直交する方向に分離した一対の山形部（６Ｂ）とが形成され、この各山形部（６Ｂ）に前記受け斜面（Ｕ）が形成されており、
前記各駆動コマ（７）は、ネジ部材（８）が貫通する貫通孔（９）を形成した中央部（７Ａ）と、前記一対の駆動コマ（７）の対向方向と直交する方向で中央部（７Ａ）の両側に分離していて前記各受け斜面（Ｕ）と面接する押し斜面（Ｌ）とが形成されており、
前記ケース（５）の壁内面に、押圧部（５Ａ）及びネジ部材（８）の軸芯（Ｓ）と平行なレール部（１３）が突条形成されており、前記各駆動コマ（７）にはレール部（１３）と摺動自在に係合する係合溝（１４）が形成されており、
前記ケース（５）のレール部（１３）は長手方向中央に駆動コマ（７）が挿入可能な間隙（Ｗ）が開けられていることを特徴とする突っ張り調整具。
【請求項２】
第１部材（３）と第２部材（４）との間に配置されて両部材に突っ張り力を与える突っ張り調整具（１）であって、
第１部材（３）と第２部材（４）の一方の部材に押圧する押圧部（５Ａ）を有しかつこの押圧部（５Ａ）と反対側に開口部（５Ｂ）を有するケース（５）と、第１部材（３）と第２部材（４）の他方の部材に当接する当接部（６Ａ）を有しかつこの当接部（６Ａ）と反対側にケース（５）の開口部（５Ｂ）に挿入されていて末広がり状の受け斜面（Ｕ）が形成された山形部（６Ｂ）を有する突っ張り体（６）と、この突っ張り体（６）の各受け斜面（Ｕ）と面接する押し斜面（Ｌ）を有して対向する対称形状の一対の駆動コマ（７）と、前記受け斜面（Ｕ）及び押し斜面（Ｌ）と交差する方向で一対の駆動コマ（７）に貫通されていて一対の駆動コマ（７）を遠近移動するネジ部材（８）とを備えており、
前記突っ張り体（６）は、当接部（６Ａ）を形成する平板部分の上側に、ネジ部材（８）が挿通される谷空間（Ｔ）と、この谷空間（Ｔ）を挟んでいて前記一対の駆動コマ（７）の対向方向と直交する方向に分離した一対の山形部（６Ｂ）とが形成され、この各山形部（６Ｂ）に前記受け斜面（Ｕ）が形成されており、
前記各駆動コマ（７）は、ネジ部材（８）が貫通する貫通孔（９）を形成した中央部（７Ａ）と、前記一対の駆動コマ（７）の対向方向と直交する方向で中央部（７Ａ）の両側に分離していて前記各受け斜面（Ｕ）と面接する押し斜面（Ｌ）とが形成されており、
前記一方の駆動コマ（７）には貫通孔（９）内にネジ部材（８）の頭部を受ける受け部（１５）が形成され、前記他方の駆動コマ（７）には貫通孔（９）内にネジ部材（８）が螺合するナット（１６）が配置されており、
前記ケース（５）の壁には、前記一方の駆動コマ（７）の貫通孔（９）の延長位置に、ネジ部材（８）を回動する工具を外方から挿入する挿入孔（１７）が形成されていることを特徴とする突っ張り調整具。
【請求項３】
第１部材（３）と第２部材（４）との間に配置されて両部材に突っ張り力を与える突っ張り調整具（１）であって、
第１部材（３）と第２部材（４）の一方の部材に押圧する押圧部（５Ａ）を有しかつこの押圧部（５Ａ）と反対側に開口部（５Ｂ）を有するケース（５）と、第１部材（３）と第２部材（４）の他方の部材に当接する当接部（６Ａ）を有しかつこの当接部（６Ａ）と反対側にケース（５）の開口部（５Ｂ）に挿入されていて末広がり状の受け斜面（Ｕ）が形成された山形部（６Ｂ）を有する突っ張り体（６）と、この突っ張り体（６）の各受け斜面（Ｕ）と面接する押し斜面（Ｌ）を有して対向する対称形状の一対の駆動コマ（７）と、前記受け斜面（Ｕ）及び押し斜面（Ｌ）と交差する方向で一対の駆動コマ（７）に貫通されていて一対の駆動コマ（７）を遠近移動するネジ部材（８）とを備えており、
前記突っ張り体（６）は、当接部（６Ａ）を形成する平板部分の上側に、ネジ部材（８）が挿通される谷空間（Ｔ）と、この谷空間（Ｔ）を挟んでいて前記一対の駆動コマ（７）の対向方向と直交する方向に分離した一対の山形部（６Ｂ）とが形成され、この各山形部（６Ｂ）に前記受け斜面（Ｕ）が形成されており、
前記各駆動コマ（７）は、ネジ部材（８）が貫通する貫通孔（９）を形成した中央部（７Ａ）と、前記一対の駆動コマ（７）の対向方向と直交する方向で中央部（７Ａ）の両側に分離していて前記各受け斜面（Ｕ）と面接する押し斜面（Ｌ）とが形成されていることを特徴とする突っ張り調整具。
【請求項４】
前記各駆動コマ（７）の中央部（７Ａ）の下部は、両側の押し斜面（Ｌ）より下方へ突出しており、この突出部分は突っ張り体（６）の谷空間（Ｔ）内に入り込んでいることを特徴とする請求項１〜３のいずれか１項に記載の突っ張り調整具。
【請求項５】
前記ケース（５）の押圧部（５Ａ）には第１部材（３）に当接する滑り止めシート（１８）が設けられ、前記突っ張り体（６）の当接部（６Ａ）には第２部材（４）の端部に接合する接合シート（１９）が設けられ、
前記ケース（５）の開口部（５Ｂ）は第２部材（４）の端部に略適合嵌合する大きさに形成されており、
前記第２部材（４）は柱で形成され、前記一対の駆動コマ（７）及び突っ張り体（６）を挿入したケース（５）の開口部（５Ｂ）は柱の端部に嵌合されていることを特徴とする請求項１〜４のいずれか１項に記載の突っ張り調整具。
【手続補正２】
【補正対象書類名】明細書
【補正対象項目名】全文
【補正方法】変更
【補正の内容】
【発明の詳細な説明】
【技術分野】
【０００１】
本発明は、上部材と下部材との間に配置されて両者に突っ張り力を与えて固定する突っ張り調整具に関する。
【背景技術】
【０００２】
例えば、仮設の柱部材の上端や家具の上部等を天井部材に固定するために、両者の間に突っ張り調整具を配置して、突っ張り力で両者を固定するようにしている。
この突っ張り調整具として、特許文献１に開示されているような家具類固定具がある。この家具類固定具は、建物とその内部に設置された家具類との間の空間に配置されるケースと、そのケース内に移動可能に配置された可動コマと、そのケース内の可動コマの上に配置されてケースの開口部から突出するスライダーと、ケースの外から前記可動コマを移動操作可能な操作具を備え、前記スライダーは前記操作具の操作によって前記可動コマをケース内で移動させるとその可動コマにより押されてケースの開口部から外側へスライドして先端部が建物に突き当たって家具類を建物に固定できるように構成されている（請求項１）。そして、建物とその内部に設置された家具類との間の空間に家具類固定具が一又は二以上配置され、家具類固定具のケースの開口部から外側に突出するスライダーの先端部が建物に突き当てられて家具類が建物に固定される（請求項２）。
【先行技術文献】
【特許文献】
【０００３】
【特許文献１】特開２００７−２２２４８７号公報
【発明の概要】
【発明が解決しようとする課題】
【０００４】
前記従来技術は、ネジ棒（操作具）の回転により一対の可動コマを遠近移動させて、可動コマの斜面でスライダーの斜面を押動して、スライダーをケース外へ突出させるように構成されているので、スライダーによる突っ張りを行うことができるが、スライダーの斜面とネジ棒とは上下にずれており、ネジ棒による可動コマの移動力をスライダーの突っ張り力に変換するのが効率的ではない。
【０００５】
本発明は、このような従来技術の問題点を解決できるようにした突っ張り調整具を提供することを目的とする。
本発明は、駆動コマの移動力を突っ張り体の突っ張り力に効率的に変換できるようにした突っ張り調整具を提供することを目的とする。
【課題を解決するための手段】
【０００６】
本発明における課題解決のための具体的手段は、次の通りである。
第１に、第１部材３と第２部材４との間に配置されて両部材に突っ張り力を与える突っ張り調整具１であって、
第１部材３と第２部材４の一方の部材に押圧する押圧部５Ａを有しかつこの押圧部５Ａと反対側に開口部５Ｂを有するケース５と、第１部材３と第２部材４の他方の部材に当接する当接部６Ａを有しかつこの当接部６Ａと反対側にケース５の開口部５Ｂに挿入されていて末広がり状の受け斜面Ｕが形成された山形部６Ｂを有する突っ張り体６と、この突っ張り体６の各受け斜面Ｕと面接する押し斜面Ｌを有して対向する対称形状の一対の駆動コマ７と、前記受け斜面Ｕ及び押し斜面Ｌと交差する方向で一対の駆動コマ７に貫通されていて一対の駆動コマ７を遠近移動するネジ部材８とを備えており、
前記突っ張り体６は、当接部６Ａを形成する平板部分の上側に、ネジ部材８が挿通される谷空間Ｔと、この谷空間Ｔを挟んでいて前記一対の駆動コマ７の対向方向と直交する方向に分離した一対の山形部６Ｂとが形成され、この各山形部６Ｂに前記受け斜面Ｕが形成されており、
前記各駆動コマ７は、ネジ部材８が貫通する貫通孔９を形成した中央部７Ａと、前記一対の駆動コマ７の対向方向と直交する方向で中央部７Ａの両側に分離していて前記各受け斜面Ｕと面接する押し斜面Ｌとが形成されており、
前記ケース５の壁内面に、押圧部５Ａ及びネジ部材８の軸芯Ｓと平行なレール部１３が突条形成されており、前記各駆動コマ７にはレール部１３と摺動自在に係合する係合溝１４が形成されており、
前記ケース５のレール部１３は長手方向中央に駆動コマ７が挿入可能な間隙Ｗが開けられていることを特徴とする。
【０００７】
第２に、第１部材３と第２部材４との間に配置されて両部材に突っ張り力を与える突っ張り調整具１であって、
第１部材３と第２部材４の一方の部材に押圧する押圧部５Ａを有しかつこの押圧部５Ａと反対側に開口部５Ｂを有するケース５と、第１部材３と第２部材４の他方の部材に当接する当接部６Ａを有しかつこの当接部６Ａと反対側にケース５の開口部５Ｂに挿入されていて末広がり状の受け斜面Ｕが形成された山形部６Ｂを有する突っ張り体６と、この突っ張り体６の各受け斜面Ｕと面接する押し斜面Ｌを有して対向する対称形状の一対の駆動コマ７と、前記受け斜面Ｕ及び押し斜面Ｌと交差する方向で一対の駆動コマ７に貫通されていて一対の駆動コマ７を遠近移動するネジ部材８とを備えており、
前記突っ張り体６は、当接部６Ａを形成する平板部分の上側に、ネジ部材８が挿通される谷空間Ｔと、この谷空間Ｔを挟んでいて前記一対の駆動コマ７の対向方向と直交する方向に分離した一対の山形部６Ｂとが形成され、この各山形部６Ｂに前記受け斜面Ｕが形成されており、
前記各駆動コマ７は、ネジ部材８が貫通する貫通孔９を形成した中央部７Ａと、前記一対の駆動コマ７の対向方向と直交する方向で中央部７Ａの両側に分離していて前記各受け斜面Ｕと面接する押し斜面Ｌとが形成されており、
前記一方の駆動コマ７には貫通孔９内にネジ部材８の頭部を受ける受け部１５が形成され、前記他方の駆動コマ７には貫通孔９内にネジ部材８が螺合するナット１６が配置されており、
前記ケース５の壁には、前記一方の駆動コマ７の貫通孔９の延長位置に、ネジ部材８を回動する工具を外方から挿入する挿入孔１７が形成されていることを特徴とする。
【０００８】
第３に、第１部材３と第２部材４との間に配置されて両部材に突っ張り力を与える突っ張り調整具１であって、
第１部材３と第２部材４の一方の部材に押圧する押圧部５Ａを有しかつこの押圧部５Ａと反対側に開口部５Ｂを有するケース５と、第１部材３と第２部材４の他方の部材に当接する当接部６Ａを有しかつこの当接部６Ａと反対側にケース５の開口部５Ｂに挿入されていて末広がり状の受け斜面Ｕが形成された山形部６Ｂを有する突っ張り体６と、この突っ張り体６の各受け斜面Ｕと面接する押し斜面Ｌを有して対向する対称形状の一対の駆動コマ７と、前記受け斜面Ｕ及び押し斜面Ｌと交差する方向で一対の駆動コマ７に貫通されていて一対の駆動コマ７を遠近移動するネジ部材８とを備えており、
前記突っ張り体６は、当接部６Ａを形成する平板部分の上側に、ネジ部材８が挿通される谷空間Ｔと、この谷空間Ｔを挟んでいて前記一対の駆動コマ７の対向方向と直交する方向に分離した一対の山形部６Ｂとが形成され、この各山形部６Ｂに前記受け斜面Ｕが形成されており、
前記各駆動コマ７は、ネジ部材８が貫通する貫通孔９を形成した中央部７Ａと、前記一対の駆動コマ７の対向方向と直交する方向で中央部７Ａの両側に分離していて前記各受け斜面Ｕと面接する押し斜面Ｌとが形成されてことを特徴とする。
【０００９】
第４に、前記各駆動コマ７の中央部７Ａの下部は、両側の押し斜面Ｌより下方へ突出しており、この突出部分は突っ張り体６の谷空間Ｔ内に入り込んでいることを特徴とする。
第５に、前記ケース５の押圧部５Ａには第１部材３に当接する滑り止めシート１８が設けられ、前記突っ張り体６の当接部６Ａには第２部材４の端部に接合する接合シート１９が設けられ、
前記ケース５の開口部５Ｂは第２部材４の端部に略適合嵌合する大きさに形成されており、
前記第２部材４は柱で形成され、前記一対の駆動コマ７及び突っ張り体６を挿入したケース５の開口部５Ｂは柱の端部に嵌合されていることを特徴とする。
【発明の効果】
【００１０】
本発明によれば、駆動コマの移動力を突っ張り体の突っ張り力に効率的に変換することができる。
即ち、請求項１に係る発明は、ケース５の壁内面のレール部１３に各駆動コマ７の係合溝１４を嵌合することにより、一対の駆動コマ７の対向移動を案内するとともにケース５からの抜けを防止することができ、ケース５のレール部１３は長手方向中央に駆動コマ７が挿入可能な間隙Ｗが開けられているので、駆動コマ７をケース５内へ挿入してレール部１３へ係合するのが容易にできる。
【００１１】
請求項２に係る発明は、一対の駆動コマ７を遠近移動するためのネジ部材８及びこのネジ部材８を回転する工具を、挿入孔１７を介してケース５の外方から挿入することができる。
請求項３に係る発明は、第１部材３と第２部材４との間に配置されて両部材に突っ張り力を与える突っ張り調整具１は、突っ張り体６の山形部６Ｂの各受け斜面Ｕは一対の駆動コマ７の対向方向と直交する方向に分離形成されており、駆動コマ７は一対の駆動コマ７の対向方向と直交する方向で中央部７Ａの両側に押し斜面Ｌが一対分離形成されているので、受け斜面Ｕ及び押し斜面Ｌの面接位置はネジ部材８の軸芯Ｓを挟んで一対の駆動コマ７の対向方向と直交する方向で両側に位置することになり、軸芯Ｓ上でネジ部材８による駆動コマ７の押し力は突っ張り体６の突っ張り力に変換され、高効率で突っ張り力を発生することができる。
【００１２】
請求項４に係る発明は、各駆動コマ７の中央部７Ａの下部は、両側の押し斜面Ｌより下方へ突出しており、この突出部分は突っ張り体６の谷空間Ｔ内に入り込んでいるので、一対の駆動コマ７の対向方向と直交する方向において突っ張り体６とずれることが規制される。
請求項５に係る発明は、ケース５の押圧部５Ａに滑り止めシート１８が設けられ、突っ張り体６の当接部６Ａに接合シート１９が設けられ、ケース５の開口部５Ｂが第２部材４の端部に略適合嵌合する大きさに形成され、かつ一対の駆動コマ７及び突っ張り体６を挿入したケース５の開口部５Ｂは柱の端部に嵌合されているので、第２部材４の柱の端部への突っ張り調整具１の装着が簡単かつ確実にできる。
【図面の簡単な説明】
【００１３】
【図１】本発明の実施形態を示す断面正面図である。
【図２】同断面側面図である。
【図３】ケース、突っ張り体、駆動コマ及びネジ部材を分解した正面図である。
【図４】ケース、突っ張り体及び駆動コマを分解した側面図である。
【図５】ケース、突っ張り体及び駆動コマを分解した平面図である。
【図６】ケース及び突っ張り体を突っ張り方向に移動した断面正面図である。
【発明を実施するための形態】
【００１４】
以下、本発明の実施の形態を図面に基づいて説明する。
図１〜６において、突っ張り調整具１は第１部材３と第２部材４との間に配置されていて、両部材３、４に突っ張り力を与えて、第１部材３に対して第２部材４の上部を固定する。
第２部材４を家具とした場合、家具の上部を天井部材（第１部材３）に対して固定するのに突っ張り調整具１を利用できるが、この実施形態では、建築構造物の壁の内側に、ツーバイフォー工法で、柱を枠組みして内装壁を作った場合に、その壁の柱（第２部材４）を天井部材（第１部材３）に対して固定するのに突っ張り調整具１を適用している。
【００１５】
なお、図１、２において、第２部材（柱）４は５０ｍｍ２ｘ４材を使用し、第２部材（柱）４の下端に下滑り止め具２０を嵌合し、滑り止めシート２２を介在して床板２１に接地している。
突っ張り調整具１は大別して、第１部材３に押圧するケース５と、第２部材４に当接する突っ張り体６と、この突っ張り体６を押動する一対の対向した駆動コマ７と、この一対の駆動コマ７を遠近移動（対向方向の移動）するネジ部材８とを備えている。
【００１６】
前記ケース５は天壁及び周囲壁を有する四角箱形状であり、天壁が第１部材３に押圧する押圧部５Ａとなっており、この押圧部５Ａと反対側は下方に開放したに開口部５Ｂとなっている。
ケース５の周囲壁を形成する前後壁及び左右壁は内面も外面も末広がり形状であり、周囲壁は押圧部５Ａ側から開口部５Ｂ側へ肉厚が漸次厚く形成され、開口部５Ｂは第２部材４の端部に略適合嵌合する大きさの四角形状に形成されている。
【００１７】
また、図１、６を正面図として、ケース５の前後壁の内面には、押圧部５Ａ及びネジ部材８の軸芯Ｓと平行なレール部１３が突条形成されており、このレール部１３は左右に分離していて、長手方向中央に駆動コマ７が挿入可能な間隙Ｗが開けられている。
ケース５の周囲壁を形成する左右壁の一方（右壁）には、ネジ部材８を回動する工具を外方から挿入する挿入孔１７が形成されている。
【００１８】
ケース５の押圧部５Ａは平面視格子状のリブが形成され、その上面には第１部材３に当接する滑り止めシート１８が設けられている。
前記突っ張り体６は、下面が第２部材４に当接する平板形状の当接部６Ａと、この当接部６Ａの上面から上方突出した一対の山形部６Ｂとを有する。または、平行な２つの山形部６Ｂの裾を当接部６Ａが連結している。山形部６Ｂの内部は空洞で複数本のリブが設けられている。
【００１９】
即ち、突っ張り体６は、当接部６Ａを形成する平板部分の上面にネジ部材８が挿通される谷空間Ｔを挟んで両側（前記一対の駆動コマ７の対向方向と直交する方向に分離した両側）に一対の山形部６Ｂが形成されている。
突っ張り体６はケース５内に配置、又は少なくとも山形部６Ｂがケース５の開口部５Ｂに挿入されている。山形部６Ｂは正面視末広がり状の一対の受け斜面Ｕが形成されている。
【００２０】
前記一対の駆動コマ７は外形が対称形状であり、各駆動コマ７はネジ部材８が貫通する貫通孔９を形成した中央部７Ａと、前記一対の駆動コマ７の対向方向と直交する方向で中央部７Ａの両側に一対の押し斜面Ｌが形成されており、前後両外面にレール部１３と摺動自在に係合する係合溝１４と形成されている。駆動コマ７は内部に貫通孔９を形成するための筒状部分を有するがその周囲は空洞になっている。
【００２１】
一対の駆動コマ７の押し斜面Ｌは正面視末広がり状に位置し、水平線に対する傾斜角度が突っ張り体６の各受け斜面Ｕと同一であり、例えば３０度であり、押し斜面Ｌと受け斜面Ｕとは摺動可能に面接触しており、駆動コマ７の水平移動力を突っ張り体６の上下移動力に変換する。
一方（図１、６右側）の駆動コマ７の貫通孔９は、ネジ部材８の頭部が入る大径孔と軸部が挿通する小径孔との段部に、ネジ部材８の頭部を受ける受け部１５が形成されている、この貫通孔９の延長位置に、ネジ部材８を回動する工具を外方から挿入するケース５の挿入孔１７が形成されている。
【００２２】
他方（図１、６左側）の駆動コマ７には貫通孔９内にネジ部材８が螺合するナット１６が配置されている。他方の駆動コマ７の貫通孔９は、ナット１６が入る六角孔とネジ部材８の軸部が挿通する小径孔とで形成されている。
前記一対の駆動コマ７の各貫通孔９は、正面視において、それぞれの押し斜面Ｌと傾斜方向略中央位置で交差しており、従って、貫通孔９に挿入されたネジ部材８の軸芯Ｓは、正面視において、末広がり状に形成された押し斜面Ｌとも受け斜面Ｕとも交差することになる。
【００２３】
換言すると、前記一対の駆動コマ７の各押し斜面Ｌも突っ張り体６の山形部６Ｂの各受け斜面Ｕも、ネジ部材８の軸芯Ｓを挟んで一対が分離形成されており、ネジ部材８による一対の駆動コマ７を近づける方向の移動力は、軸芯Ｓを通る水平面上で押し斜面Ｌから受け斜面Ｕに伝達され、突っ張り体６の突っ張り力に変換されることになる。
各駆動コマ７の中央部７Ａの下部は、前後両側の押し斜面Ｌより下方へ突出しており、この突出部分は突っ張り体６の谷空間Ｔ内に入り込み、一対の山形部６Ｂの前後位置規制をすることが可能になっている。
【００２４】
図３〜５には突っ張り調整具１の分解図を示しており、この突っ張り調整具１の組立て装着方法を次に説明する。
突っ張り調整具１は、駆動コマ７をケース５内に入れて間隙Ｗに挿入し、駆動コマ７の係合溝１４をケース５の壁内面のレール部１３に係合する。ケース５の壁の挿入孔１７からネジ部材８を挿入して、ケース５内の一方の駆動コマ７の貫通孔９に貫通し、このネジ部材８を他方の駆動コマ７に予め装着しておいたナット１６に螺合させる。
【００２５】
第２部材４の上端に接合シート１９を介して突っ張り体６を接合しておいて、その突っ張り体６に嵌合するように駆動コマ７を内在するケース５を嵌合し、突っ張り体６の山形部６Ｂの受け斜面Ｕに一対の駆動コマ７の押し斜面Ｌを面接させる（図１、２に示す状態になる。）。
その後、ケース５の押圧部５Ａを第１部材３に対向させ、挿入孔１７から回動工具を挿入してネジ部材８を回動し、図６に示すように、一対の駆動コマ７を近づく方向に移動して、突っ張り体６をネジ部材８と直交する方向に移動し、相対的にケース５の押圧部５Ａを上昇させて滑り止めシート１８を第１部材３に当接させ、さらにネジ部材８を回動して押圧部５Ａで第１部材３に突っ張らせ、その突っ張り力で第１部材３に対して第２部材４の上端を固定する。
【００２６】
図６は一対の駆動コマ７が近づいた状態を示すが、一対の駆動コマ７は対向する面が当接するまで近づけることができる。一対の駆動コマ７が最大に離れる位置は、一対の駆動コマ７の対向する面と反対側の面がケース５と当接する、または駆動コマ７の下面が突っ張り体６の当接部６Ａと当接する状態に設定できる。
なお、本発明は前記実施形態に限定されるものではなく、部材の形状、構成及び組み合わせ等を変更したりすることもできる。
【００２７】
例えば、突っ張り調整具１は、上下逆にして、ケース５を第２部材４に当接しかつ突っ張り体６を第１部材３に当接したり、水平にして、壁と家具側面との間、家具と家具との間に配置したりして、それらを突っ張り固定するのに適用してもよい。
一対の駆動コマ７を内蔵したケース５に突っ張り体６も相対上下動自在に内在させ、ケース５と突っ張り体６との間に、突っ張り体６がケース５から抜け出るのを規制する抜け規制具を設けることも可能である。
【００２８】
ケース５の上下丈を短くしたり、突っ張り体６の当接部６Ａを下方へ長く形成したりして、突っ張り体６の当接部６Ａがケース５の開口部５Ｂから下方へ突出させておいてもよい。
一対の駆動コマ７はケース５の内面によって移動が案内されるので、ケース５のレール部１３及び駆動コマ７の係合溝１４を割愛することは可能である。
【００２９】
一方の駆動コマ７のナット１６は、駆動コマ７自体に雌ネジを切ってもよい。
【符号の説明】
【００３０】
１        突っ張り調整具
３        第１部材
４        第２部材
５        ケース
５Ａ      押圧部
５Ｂ      開口部
６        突っ張り体
６Ａ      当接部
６Ｂ      山形部
７        駆動コマ
７Ａ      中央部
８        ネジ部材
９        貫通孔
１３      レール部
１４      係合溝
１５      受け部
１６      ナット
１７      挿入孔
１８      滑り止めシート
１９      接合シート
２０      下滑り止め具
２１      床板
２２      滑り止めシート
Ｌ        押し斜面
Ｓ        軸芯
Ｔ        谷空間
Ｕ        受け斜面
Ｗ        間隙